(57)【要約】【課題】視認性に優れ、輝度及びコントラスト比が高い液晶表示装置を提供する。【解決手段】液晶表示装置１は、コレステリック液晶層１１を有する液晶パネル１０と、液晶パネル１０の一方面側に積層されたコレステリック液晶フィルム２０と、を有する。コレステリック液晶層１１の選択反射波長と、コレステリック液晶フィルム２０の選択反射波長とは共に可視光域内に属し、コレステリック液晶フィルム２０の選択反射波長はコレステリック液晶層１１の選択反射波長と異なる。【選択図】図１
2006133341.tif 000002
【特許請求の範囲】
【請求項１】
コレステリック液晶層を有する液晶パネルと、前記液晶パネルに積層されたコレステリック液晶フィルムと、を少なくとも有し、
前記コレステリック液晶層の選択反射波長と、前記コレステリック液晶フィルムの選択反射波長とは共に可視光域内に属し、
前記コレステリック液晶フィルムの選択反射波長は前記コレステリック液晶層の選択反射波長と異なる液晶表示装置。
【請求項２】
請求項１に記載された液晶表示装置において、
前記コレステリック液晶層の選択反射波長と同じ波長の光と、前記コレステリック液晶フィルムの選択反射波長と同じ波長の光とが補色関係を有する液晶表示装置。
【請求項３】
請求項１に記載された液晶表示装置において、
前記コレステリック液晶層の選択反射のピーク波長が５００ｎｍ以上６００ｎｍ以下の波長範囲内にあり、
前記コレステリック液晶フィルムの選択反射のピーク波長が４００ｎｍ以上４８０ｎｍ以下の波長範囲以内にある液晶表示装置。
【請求項４】
請求項１に記載された液晶表示装置において、
黒色板をさらに有し、
前記液晶パネルと、前記コレステリック液晶フィルムと、前記黒色板とがこの順で積層されている液晶表示装置。
【請求項５】
請求項４に記載された液晶表示装置において、
前記黒色板は可視光域における光反射率が５％以下である液晶表示装置。
【発明の詳細な説明】
【技術分野】
【０００１】
本発明は、液晶表示装置に関するものである。
【背景技術】
【０００２】
近年、バックライトや偏光板の不要なコレステリック液晶層を有するコレステリック液晶表示装置が種々研究されている。コレステリック液晶層は、多層構造をなすように配列された棒状のコレステリック液晶分子を複数含んでいる。このコレステリック液晶分子は、層方向には配向が略同一の方向となるように配列されており、積層方向には配向が螺旋状となるように配列されている。
【０００３】
電圧を印加しない状態（プレーナ状態）のコレステリック液晶層は、カイラルピッチ（らせんピッチ）に応じた特定波長（選択反射波長）の光を選択的に反射する。一方、弱い電圧を印加した状態（フォーカルコニック状態）のコレステリック液晶層は、光を透過する。コレステリック液晶表示装置では、このプレーナ状態とフォーカルコニック状態とを適宜選択することによって画像を表示させている。
【特許文献１】特開２００１−３１１９６７号公報
【特許文献２】特開２００１−３１１９６８号公報
【特許文献３】特開２００２−１０７７１３号公報
【特許文献４】特開２００２−１０７７６７号公報
【発明の開示】
【発明が解決しようとする課題】
【０００４】
一般的に、コレステリック液晶表示装置では、プレーナ状態において反射される光のスペクトル波形が選択反射波長を中心として鋭いため、コレステリック液晶表示装置から出射される光は着色しており、鮮明な白表示を行うことができないという問題がある。
【０００５】
特許文献１及び特許文献２には、不完全なプレーナ状態を生じさせることができるコレステリック液晶表示装置が開示されている。このコレステリック液晶表示装置によれば、コレステリック液晶層によって反射される光の波長ピークをブロードにすることができるため、鮮明な白表示を得ることができる。しかしながら、特許文献１等に記載されたコレステリック液晶表示装置では、プレーナ状態におけるコレステリック液晶の光反射率が低いため、輝度及びコントラスト比が低いという問題がある。
【０００６】
特許文献３及び特許文献４には、従来の吸収層（黒色板）の代わりに複数の種類の着色層が設けられているコレステリック液晶表示装置が開示されている。このコレステリック液晶表示装置によれば、種々の表示色を実現することができる。しかしながら、特許文献３及び特許文献４に記載されたコレステリック液晶表示装置では、種々の表示色を実現することができるものの、鮮明な白表示をすることができないという問題がある。
【０００７】
本発明は、係る点に鑑みてなされたものであり、その目的とするところは、鮮明な白表示を行うことができ、視認性に優れ、輝度及びコントラスト比が高い液晶表示装置を実現することにある。
【課題を解決するための手段】
【０００８】
本発明に係る液晶表示装置は、コレステリック液晶層を有する液晶パネルと、前記液晶パネルに積層されたコレステリック液晶フィルムと、を少なくとも有する。前記コレステリック液晶層の選択反射波長と、前記コレステリック液晶フィルムの選択反射波長とは共に可視光域内に属し、前記コレステリック液晶フィルムの選択反射波長が前記コレステリック液晶層の選択反射波長と異なる。
【０００９】
本発明に係る液晶表示装置では、前記コレステリック液晶フィルムの選択反射波長が前記コレステリック液晶層の選択反射波長と異なる。このため、プレーナ状態において、コレステリック液晶層により反射されず、コレステリック液晶層を透過した光のうちコレステリック液晶フィルムの選択反射波長付近の波長を有する光はコレステリック液晶フィルムによって反射される。すなわち、プレーナ状態のコレステリック液晶表示装置からは、コレステリック液晶層の選択反射波長付近の波長を有する光と、コレステリック液晶フィルムの選択反射波長付近の波長を有する光との双方が出射される。
【００１０】
また、コレステリック液晶層の選択反射波長とコレステリック液晶フィルムの選択反射波長とは共に可視光域内に属する。従って、プレーナ状態において、コレステリック液晶表示装置から出射される光のスペクトル波形は可視光域にブロードとなるため、本発明に係る液晶表示装置によれば鮮明な白色表示を実現することができる。
【００１１】
また、本発明に係る液晶表示装置では、コレステリック液晶フィルム及びコレステリック液晶層の双方がほぼ完全なプレーナ状態を生じさせるため、コレステリック液晶フィルム及びコレステリック液晶層各々の光反射率が高い。さらに、コレステリック液晶層を透過する光の一部がコレステリック液晶フィルムにより反射される。このため、本発明に係る液晶表示装置では、入射光に対する出射光の割合が大きいため、本発明に係る液晶表示装置は輝度及びコントラスト比が高い。
【００１２】
本発明に係る液晶表示装置では、前記コレステリック液晶層の選択反射波長と同じ波長の光と、前記コレステリック液晶フィルムの選択反射波長と同じ波長の光とが補色関係を有していても構わない。上述の通り、プレーナ状態において、本発明に係る液晶表示装置からはコレステリック液晶層の選択反射波長付近の波長を有する光と、コレステリック液晶フィルムの選択反射波長付近の波長を有する光との双方が出射される。この構成のように、前記コレステリック液晶層の選択反射波長と同じ波長の光と、前記コレステリック液晶フィルムの選択反射波長と同じ波長の光とが補色関係を有する場合は、液晶表示装置から出射される光の色調が白色により近くなるため、より鮮明な白色表示を実現することができる。
【００１３】
尚、本明細書において、「補色関係」とは、互いに色調が異なる２種類の光のそれぞれ色調よりも、それら２種類の混合光の色調の方が白色に近い場合の、これら２種類の光の関係をいう。本明細書において「白色」とは、Ｃ光源（北窓昼光に相当する光源）から出射される光をいい、具体的にはＣＩＥ色座標における座標（ｘ、ｙ）が（０．３１０、０．３１６）である光の色調をいう。「白色に近い」とはＣＩＥ色座標における座標がＣ光源の座標（０．３１０、０．３１６）に近いことをいう。
【００１４】
本発明に係る液晶表示装置では、前記コレステリック液晶層の選択反射のピーク波長が５００ｎｍ以上６００ｎｍ以下の波長範囲内にあり、前記コレステリック液晶フィルムの選択反射のピーク波長が４００ｎｍ以上４８０ｎｍ以下の波長範囲以内であってもよい。
【００１５】
この構成では、コレステリック液晶層の選択反射波長とコレステリック液晶フィルムの選択反射波長とが共に可視光域内にあり、かつ相互に補色する関係を有する。このため、この構成によれば、鮮明な白表示が可能で、かつ輝度及びコントラスト比が高い液晶表示装置を実現することができる。前記コレステリック液晶層の選択反射のピーク波長が５３０ｎｍ以上５８０ｎｍ以下の波長範囲内にあり、前記コレステリック液晶フィルムの選択反射のピーク波長が４４０ｎｍ以上４８０ｎｍ以下の波長範囲以内であることが好ましい。
【００１６】
本発明に係る液晶表示装置は、黒色板をさらに有し、前記液晶パネルと、前記コレステリック液晶フィルムと、黒色板とがこの順で積層されているものであってもよい。この構成によれば、フォーカルコニック状態において、コレステリック液晶フィルムを透過する光（言い換えれば、コレステリック液晶フィルムの選択反射波長から離れた波長の光）は、そのほとんどが黒色板によって吸収される。このため、フォーカルコニック状態状態において液晶表示装置から出射される光の量をより少なくすることができる。従って、よりコントラスト比の高い液晶表示装置を実現することができる。前記黒色板は可視光域における光反射率が５％以下であってもよい。言い換えれば、黒色板は無彩色であってもよい。
【発明の効果】
【００１７】
以上説明したように、本発明によれば、鮮明な白表示を行うことができ、視認性に優れ、輝度及びコントラスト比が高い液晶表示装置を実現することができる。
【発明を実施するための最良の形態】
【００１８】
以下、本発明の実施形態を図面を参照しながら詳細に説明する。
【００１９】
図１は本実施形態に係る液晶表示装置１の概略断面図である。
【００２０】
液晶表示装置１では、コレステリック液晶層１１を有する液晶パネル１０と、コレステリック液晶フィルム２０と、黒色板３０とがこの順で積層されている。液晶パネル１０の上下にはコレステリック液晶層１１に電圧を印加するための電圧印加手段（図示せず）が設けられている。
【００２１】
コレステリック液晶層１１には多層構造を構成する棒状のコレステリック液晶分子が複数含まれている。コレステリック液晶層１１に電圧を印加しない状態では、コレステリック液晶分子は層方向において略同一の方向に配列しており、積層方向においては螺旋状に配列している（プレーナ状態）。プレーナ状態におけるコレステリック液晶層１１は、積層方向に螺旋状に配列されたコレステリック液晶分子のカイラルピッチ（らせんピッチ）に応じた選択反射波長付近の光を選択的に反射させる一方、選択反射波長付近以外の光を透過させる。ここで、「選択反射波長」とは、コレステリック液晶分子の平均屈折率とコレステリック液晶分子のカイラルピッチ（らせんピッチ）とを乗じて得られる波長のことをいい、「選択反射のピーク波長」と同義である。
【００２２】
一方、コレステリック液晶層１１に弱い電圧を印加した（フォーカルコニック状態）状態におけるコレステリック液晶層１１は、選択反射波長付近の光を選択的に反射させることなく、入射する光を全波長域において透過させる。コレステリック液晶層１１は、弱い電圧が印加され、フォーカルコニック状態となると、その後電圧無印加状態になってもフォーカルコニック状態が維持される。このため、コレステリック液晶層１１を有する液晶表示装置１は、特に静止画を表示させる場合に、単位時間あたりの消費電力を少なくすることができる。
【００２３】
コレステリック液晶フィルム２０は、樹脂フィルム中に複数のコレステリック液晶分子が所定配列で分散された樹脂フィルムである。コレステリック液晶フィルム２０では、複数のコレステリック液晶分子の配向が層方向においては略同一となるように配列されており、一方積層方向においては配向方向が螺旋状となるように配列されている、いわゆるプレーナ状態で樹脂フィルム中に固定されている。このため、コレステリック液晶フィルム２０は常に選択反射波長付近の光を反射する。
【００２４】
コレステリック液晶層１１とコレステリック液晶フィルム２０との選択反射波長は共に可視光域に属しており、コレステリック液晶層１１とコレステリック液晶フィルム２０とは相互に選択反射波長が異なる。コレステリック液晶層１１の選択反射波長の方が、コレステリック液晶フィルム２０の選択反射波長よりも長波長側に位置していても構わない。コレステリック液晶層１１の選択反射波長と同じ波長の光と、コレステリック液晶フィルム２０の選択反射波長と同じ波長の光とが補色関係を有することが好ましい。例えば、コレステリック液晶層１１の選択反射のピーク波長が５００ｎｍ以上６００ｎｍ以下の波長範囲内にあり、コレステリック液晶フィルム２０の選択反射のピーク波長が４００ｎｍ以上４８０ｎｍ以下の波長範囲内にあることが好ましい。コレステリック液晶層１１の選択反射のピーク波長が５３０ｎｍ以上５８０ｎｍ以下の波長範囲内にあり、コレステリック液晶フィルム２０の選択反射のピーク波長が４４０ｎｍ以上４８０ｎｍ以下の波長範囲内にあることがより好ましい。ここで、「可視光域」とは、４００ｎｍ以上８００ｎｍ以下の波長領域をいう。
【００２５】
黒色板３０は液晶パネル１０及びコレステリック液晶フィルム２０を透過した光を吸収する機能を有する。黒色板３０は可視光域における光反射率が５％以下であることが好ましい。言い換えれば、黒色板３０は無彩色であることが好ましい。尚、本明細書において、「光反射率」はミノルタ製分光測色計（製品名；ＣＭ−２００２）によって測定した値をいう。
【００２６】
実施形態に係る液晶表示装置１では、コレステリック液晶層１１に電圧を印加しないプレーナ状態においては、液晶表示装置１に入射する外光のうちコレステリック液晶層１１の選択反射波長付近の光はコレステリック液晶層１１によって反射される。一方、選択反射波長付近以外の光はコレステリック液晶層１１を透過し、コレステリック液晶フィルム２０に入射する。コレステリック液晶フィルム２０に入射した光のうちコレステリック液晶フィルム２０の選択反射波長付近の光はコレステリック液晶フィルム２０によって液晶パネル１０側に反射され、コレステリック液晶フィルム２０の選択反射波長付近以外の光はコレステリック液晶フィルム２０を透過して黒色板３０に入射する。黒色板３０に入射した光のほとんどは黒色板３０により吸収される。すなわち、液晶表示装置１では、プレーナ状態において、コレステリック液晶層１１の選択反射波長付近の光とコレステリック液晶フィルム２０の選択反射波長付近の光とが液晶表示装置１から出射する。
【００２７】
液晶表示装置１では、コレステリック液晶層１１の選択反射波長とコレステリック液晶フィルム２０の選択反射波長とは共に可視光域に属し、かつ、コレステリック液晶層１１の選択反射波長とコレステリック液晶フィルム２０の選択反射波長とは異なるため、液晶表示装置１から出射する光の波長域は可視光域にブロードである。このため、液晶表示装置１では、プレーナ状態において、より白色に近い色調の出射光を得ることができる。従って、鮮明な白表示を行うことができ、視認性に優れた液晶表示装置１を実現することができる。
【００２８】
コレステリック液晶層１１とコレステリック液晶フィルム２０とは、ほぼ完全なプレーナ状態を有する。そのため、例えば上記特許文献１や特許文献２に記載された不完全なプレーナ状態を有する液晶表示装置と比較して、それぞれのプレーナ状態における光反射率が高い。また、コレステリック液晶フィルム２０を有さない従来の液晶表示装置では、コレステリック液晶層の選択反射波長付近のみの光がコレステリック液晶層により反射され、液晶表示装置から出射されるのに対して、本実施形態に係る液晶表示装置１では、コレステリック液晶層１１によって反射される光に加えて、コレステリック液晶フィルム２０により反射される光も液晶表示装置１より出射される。このため、コレステリック液晶フィルムを有さず、コレステリック液晶層のみを有する従来の液晶表示装置と比較して、本実施形態に係る液晶表示装置１では得られる出射光の光量が多い。従って、高輝度でありコントラスト比が大きい液晶表示装置１を実現することができる。
【００２９】
また、コレステリック液晶層１１の選択反射波長とコレステリック液晶フィルム２０の選択反射波長とが補色関係を有する場合には、液晶表示装置１から出射される光、具体的にはコレステリック液晶層１１の選択反射波長付近の光とコレステリック液晶フィルム２０の選択反射波長付近の光との合成光の色調がより白色に近くなる。従って、この構成によれば、より鮮明な白表示を行うことができ、視認性に優れた液晶表示装置１を実現することができる。特に、コレステリック液晶層１１の選択反射のピーク波長が５００ｎｍ以上６００ｎｍ以下の波長範囲内にあり、コレステリック液晶フィルム２０の選択反射のピーク波長が４００ｎｍ以上４８０ｎｍ以下の波長範囲内にある場合、より好ましくはコレステリック液晶層１１の選択反射のピーク波長が５３０ｎｍ以上５８０ｎｍ以下の波長範囲内にあり、コレステリック液晶フィルム２０の選択反射のピーク波長が４４０ｎｍ以上４８０ｎｍ以下の波長範囲内にある場合には、鮮明な白表示が可能となる。
【００３０】
実施形態１に係る液晶表示装置１では、コレステリック液晶層１１に弱い電圧を印加した、フォーカルコニック状態においては、液晶表示装置１に入射する外光はコレステリック液晶層１１を透過し、コレステリック液晶フィルム２０に入射する。コレステリック液晶フィルム２０に入射した光のうち、コレステリック液晶フィルム２０の選択反射波長付近の光は液晶パネル１０側に反射され、それ以外の波長を有する光はコレステリック液晶フィルム２０を透過し、黒色板３０に入射する。黒色板３０に入射する光のほとんどは黒色板３０によって吸収される。すなわち、フォーカルコニック状態においては、液晶表示装置１からコレステリック液晶フィルム２０の選択反射波長の光のみが出射される。ここで、４４０ｎｍ以上４８０ｎｍ以下の波長範囲内に属する波長の光はほぼ黒色、詳細には濃い紫色として視認される光である。このため、コレステリック液晶フィルム２０の選択反射のピーク波長が４４０ｎｍ以上４８０ｎｍ以下の波長範囲内にある場合には、フォーカルコニック状態において液晶表示装置１から出射される光がほぼ黒色、詳細には濃い紫色として視認される。従って、この構成においては、黒色を比較的鮮明に表示することができるので、高いコントラスト比を実現することができる。
【００３１】
また、黒色板３０を用いることによって、フォーカルコニック状態において、コレステリック液晶フィルム２０により反射される光以外の光が液晶表示装置１から出射することを抑制することができる。従って、より高いコントラスト比を実現することができる。コントラスト比を高くする観点から黒色板３０の可視光域における光反射率が５％以下であることが好ましい。
【実施例】
【００３２】
実施形態１に係る液晶表示装置１と同様の構成を有する液晶表示装置を実施例として製造した。
【００３３】
以下に、実施例に係る液晶表示装置１の製造方法について説明する。まず、コレステリック液晶フィルム２０の製造方法について説明する。ヒドロキシプロピルセルロース（Ａｑｕａｌｏｎ社製ＫＬＵＣＥＬ、Ｌタイプ）２０ｇをアセトン２００ｍｌに溶解させた。得られたヒドロキシプロピルセルロースのアセトン溶液中に無水酢酸（和光純薬製）２００ｍｌを滴下混合した。得られた混合溶液を５０℃、８時間加熱することにより、ヒドロキシプロピルセルロースと酢酸とを加熱脱水縮合し、ヒドロキシプロピルセルロース酢酸エステルのアセトン溶液を得た。ヒドロキシプロピルセルロース酢酸エステルのアセトン溶液を純水１５００ｍｌ中に展開し、ヒドロキシプロピルセルロース酢酸エステル樹脂を析出させた（再沈精製法）。得られたヒドロキシプロピルセルロース酢酸エステル樹脂を、さらに再沈精製法により精製することによって、ヒドロキシプロピルセルロース酢酸エステル樹脂を得た。得られたヒドロキシプロピルセルロース酢酸エステル樹脂をアセトンに溶解させ、濃度５重量％の塗布液を作成した。ガラス基板上に塗布液をスピンコート法により塗布した後、４０℃で２時間乾燥させることによりヒドロキシプロピルセルロース酢酸エステル樹脂からなるコレステリック液晶フィルムを形成した。
【００３４】
次に、黒色板３０の製造方法について説明する。カーボンブラック（三菱化学製ＨＣＦ＃２７００Ｂ）と、エポキシレジン（サンスター技研製１０３８）とをカーボンブラックが１０重量％となるように混合した。得られた混合物をガラス基板上に展開して層厚１ｍｍの黒色板３０を形成した。
【００３５】
液晶パネル１０としてはコレステリック液晶（大日本インキ製）により構成したコレステリック液晶層１１を有するパネルを用いた。
【００３６】
液晶パネル１０と、コレステリック液晶フィルム２０と、黒色板３０とを高透明両面テープ（積水化学製ダブルタックテープ＃５５１１）により貼り合わせることにより実施例に係る液晶表示装置１を製造した。
【００３７】
上記工程により製造した液晶パネル１０、コレステリック液晶フィルム２０、及び液晶表示装置１のプレーナ状態におけるそれぞれの光反射率を測定した。光反射率はミノルタ製分光測色計（製品名；ＣＭ−２００２）によって測定した。また、液晶表示装置１のプレーナ状態における色座標、フォーカルコニック状態における色座標を測定した。色座標はミノルタ製分光測色計（製品名；ＣＭ−２００２）によって測定した。
【００３８】
図２は液晶パネル１０のプレーナ状態における反射率を表したグラフである。
【００３９】
図３はコレステリック液晶フィルム２０の反射率を表したグラフである。
【００４０】
図４は液晶表示装置１のプレーナ状態における反射率を表したグラフである。
【００４１】
図５は液晶表示装置１の色座標を表すＣＩＥ色座標図である。
【００４２】
図２に示すグラフからわかるように、上記製造方法により製造した液晶パネル１０は選択反射波長が可視光域内に属し、具体的には５８５ｎｍであった。コレステリック液晶フィルム２０の選択反射波長は、図３に示すグラフからわかるように、可視光域内に属し、具体的には４５０ｎｍであった。液晶パネル１０とコレステリック液晶フィルム２０とは選択反射波長が相互に異なった。
【００４３】
上記のような反射特性を有する液晶パネル１０とコレステリック液晶フィルム２０とを有する液晶表示装置１のプレーナ状態における反射光の波長域は、図４に示すように、可視光域にブロードなものであった。また、図５に示すように、液晶表示装置１のプレーナ状態において得られる反射光の色座標（０．３１０、０．３１６）はＣ光源の色座標（０．３１９、０．３２７）に非常に近いものであった。言い換えれば、プレーナ状態における液晶表示装置１からは、非常に白色に近い反射光が出射された。また、液晶表示装置１のプレーナ状態において得られる反射光のＹ値は２６．２であり、非常に明るい白色を得ることができた。
【００４４】
この結果からわかるように、液晶パネル１０の選択反射波長と、コレステリック液晶フィルム２０の選択反射波長とが共に可視光域内に属し、コレステリック液晶フィルム２０の選択反射波長が液晶パネル１０の選択反射波長と異なる場合、特に、液晶パネル１０の選択反射波長が５００ｎｍ以上６００ｎｍ以下であり、コレステリック液晶フィルム２０の選択反射波長が４４０ｎｍ以上４８０ｎｍ以下である場合は、プレーナ状態において非常に白色に近い色調の反射光を出射させることができ、かつ高い輝度、コントラスト比を実現することができる。
【００４５】
また、この液晶表示装置１では、フォーカルコニック状態において、コレステリック液晶フィルム２０の選択反射波長付近の光が液晶表示装置１から出射され、具体的には、濃い紫色、ＣＩＥ色座標（０．１７８、０．１２２）、Ｙ値４．８の表示を得た。プレーナ状態とフォーカルコニック状態とでは５．５という非常に高いコントラスト比を得た。
【００４６】
この結果からわかるように、コレステリック液晶フィルム２０を液晶パネル１０の背面に配置し、黒色板３０をコレステリック液晶フィルム２０の背面に配置することによって高いコントラスト比を実現することができる。
【産業上の利用可能性】
【００４７】
以上説明したように、本発明に係る液晶表示装置は、視認性に優れ、輝度及びコントラスト比が高いため、携帯電話、携帯情報端末、電子辞書、電子書籍、ネームプレート、卓上カレンダー、電子メモ、卓上時計、腕時計、広告媒体、価格プレート等として有用である。
【図面の簡単な説明】
【００４８】
【図１】本実施形態に係る液晶表示装置１の概略断面図である。
【図２】液晶パネル１０のプレーナ状態における反射率を表したグラフである。
【図３】コレステリック液晶フィルム２０の反射率を表したグラフである。
【図４】液晶表示装置１のプレーナ状態における反射率を表したグラフである。
【図５】液晶表示装置１の色座標を表すＣＩＥ色座標図である。
【符号の説明】
【００４９】
１  液晶表示装置
１０  液晶パネル
１１  コレステリック液晶層
２０  コレステリック液晶フィルム
３０  黒色板
【図１】
2006133341.tif 000003
【図２】
2006133341.tif 000004
【図３】
2006133341.tif 000005
【図４】
2006133341.tif 000006
【図５】
2006133341.tif 000007